(57)【要約】      （修正有）【課題】  ジェツト流５により、検出用のロードセル１５のダイアフラム１６は破壊されてしまい測定器を作る事は容易でなく、従来は実際にいちいち皮下注射をし、カットアンドトライで感覚的に評価していた。よってジェツト流５の力を数値的に測定把握でき、無針注射器を簡単に評価出来る測定器が求められていた。【解決手段】  ジェツト流の高圧力の力を分散させてダイアフラム１６に与えるようにしたロードセル１５と、分散部２６の上方に設けた直径の小さな入水路２４の出口と、シリンジ７先端の外周端部３に勘合する外周ホルダ２２とを構成する事により、簡単な構造で、操作が容易で且つ信頼性のある優れたジェツト流の力測定装置を提供できる。【選択図】図６
2005021640.tif 000002
【特許請求の範囲】
【請求項１】
無針注射器の微少直径のジエット流（５）の力を測定する測定装置において、垂直に射出したジエット流（５）を検出するロードセル（１５）のダイアフラム（１６）の中央に、防水性と剛性の高い材質で、ジェツト流の検出流直径（ＤＪ）の１０倍以上の直径で且つ水平な平面の分散部上面（２７）を設けた円柱状の分散部（２６）を構成し微少直径のジェツト流（５）の力をロードセル（１５）のダイアフラム（１６）に分散して与えるようにした事を特徴とするジエット流の力測定装置。
【請求項２】
測定する無針注射器の外周端部外径（Ｆ）に嵌合する内径の凹部を有するガイド（２９）と、ノズル（１）の先端位置と外周端部（３）の先端の位置との高さの差の高差（ＳＣ）に応じた位置の底板（２８）とを有する外周ホルダ（２２）を設け、前記外周ホルダ（２２）を前記分散部（２６）の上側の所定の至近距離（ＳＬ）に構成し、前記外周ホルダ（２２）に無針注射器のシリンジ（７）の先端を嵌合挿入し、ノズル（１）よりの至近距離（ＳＬ）で簡単にジェット流（５）を測定する事を可能とした事を特徴とする請求項１記載のジエット流の力測定装置。
【請求項３】
前記ジェツト流（５）を流入させる入水路（２４）を前記分散部（２６）の上側に設け、且つ前記入水路（２４）の出口の内径（ＤＰ）を前記分散部上面（２７）より小さな内径で構成し、分散部（２６）の外側のダイアフラム（１６）に誤って斜めにジェット流（５）が射出され、ロードセル（１５）を破壊される事を防止する事を特徴とする請求項１あるいは２記載のジエット流の力測定装置。
【発明の詳細な説明】
【発明の詳細な説明】
【技術分野】
【０００１】  本発明は、医療用に用いられる無針注射器の測定に関し、特にノズルより射出するジェット流の力特性を測定し無針注射器を評価する測定装置に関する。
【背景技術】
【０００２】  各図面の符号に付いては、作用等が同じ物は説明の重複を避ける為に同じ付番として表現する。また測定器の垂直方向の中心軸となる垂直測定軸Ｙ０−Ｙ１より要素部品及び被測定物等が偏った位置にあるときは、芯ずれしていると略して表現する。また図１（従来の無針注射器の説明断面図）、図２（従来の測定装置で離れた距離での測定説明断面図）、図３（従来の測定装置で至近距離での測定説明断面図（ダイアフラム動作詳細図を含む））を用いて従来技術を説明する。【０００３】  従来の無針注射器は、図１に示すのように、使い捨てのシリンジ７を駆動装置１０に接続して注射するものが知られている、このシリンジ７は薬液６とピストン４とを内装し、その先端には微少な直径のノズル１と後方には駆動装置１０に装着する装置部８（図ではネジの例を示している）とを設けている。【０００４】  また駆動装置１０は高圧で駆動するスプリング１２（図では機械式の圧縮バネの例を示しているが、気体の圧縮バネも知られている）とドライブシャフト１１を設け、そのドライブシャフト１１の先端は前記ピストン４の後方で一体に接続しピストン４を駆動するように構成している。【０００５】  注射の時は、皮膚１３にシリンジ７の先端を押しつけて注射するが、薬液６はノズル１を介して皮膚１３の内部にジエット流５として注入されるように構成されている。前記のジェット流５は皮膚１３に対して垂直に注入しないと、皮膚１３の表面に開ける注入穴が楕円になり血液飛散や薬液流出など注射効果を下げる事になる。その為にシリンジ７を皮膚１３に対し垂直に保持する様にノズル１の先端近傍の形状は工夫されている。【０００６】  すなわち図１に示すように、ノズル１を中心軸とした台形状あるいは球面状のノズル台２とシリンジ７の外周先端には外周端部３が設けられている。ノズル台２の高さは外周端部３の高さよりも高差ＳＣ（たとえば２ｍｍ）だけ高く構成されている。【０００７】  図示の他の符号の補足をする。ロック機構１４は指でスライドする事で圧縮されたスプリング１２の駆動力を拘止や解放する機構である。外周端部外径Ｆはシリンジ７の外周端部３の外径である。また外周端部３の形状について更に説明する。台形状のリング形状の外周端部外径Ｆはシリンジ７の外径より図１のように大きく作られたものや、図２のようなシリンジ７の外径と同じ径の外周端部外径Ｆのものもある。【０００８】  このように構成されているので、外周端部３を皮膚１３に押圧する事でシリンジ７は垂直に保持されるとともに、皮膚１３は緊張した状態になり、その皮膚１３に更に高差ＳＣだけ高いノズル台２が更に押しつけられ、ノズル１は皮膚１３に密着する。このように構成され作用するのでノズル１は皮膚１３に垂直に保持され密着して位置し、ジェット流５は液漏れなく皮膚１３に垂直に注入する事が出来る。
【発明が解決しようとする課題】
【０００９】  ジエット流５の力は、初期においては皮膚１３に穴を開ける為に急激に高い力を与えるように設定される。後半では続いて、開けられたその穴を介して薬液６を皮膚１３の組織に拡散注入するように作用する為にジエット流５の力は初期力より低い力に設定される。これらジエット流５の初期と後半の力は、皮膚１３への穴開けの損傷を少なく、注入痛みの少ない注射をするために適切な値にそれぞれ選定されて調整される。
【００１０】  またジエット流５の前記の初期と後半の力は、ノズル１のアスペクト比（穴の直径と長さの比）や、シリンジ７のノズル１の後方内部に徐々に広がる開口部の形状や、ピストン４の先端の流線型の形状や、スプリング１２の圧縮解放特性などにより影響を受ける為に、設計段階で慎重にそれらの形状等が実際に皮膚１３に注射したりしてカットアンドトライの実験を繰り返し、その結果で選ばれ調整されてきた。このために開発時間や経費が嵩む欠点が有った。
【００１１】  よって、ジエット流５の力を測定して、各種の調整の結果を評価し無針注射器を開発したり、その測定結果より製品の品質を管理したりするような、信頼性のある測定装置の出現が望まれていた。
【００１２】  次にそれらの目的の為に、検討された従来技術の延長上の測定装置について図２と図３を用いて説明する。駆動装置１０に付いたシリンジ９（通常は薬液８の代わりに水を内蔵して測定する）を水平台１６に設置して、ノズル１の先端位置より離れた距離ＳＤの位置に検出面が垂直になるようロードセル１５を設け、ノズル１よりのジエット流５の力を測定するように、従来技術の測定装置は構成し測定していた。更にロードセル１５の検出出力は検出増幅器２９を介してデータ採取表示装置２０でデータ収集され時間対力特性として表示していた。（時間対力特性を以後説明の簡易化のため力特性Ｎｎと略す。また前記のロードセル１５は過度特性の良い電気抵抗線式の防水型ダイアフラム型のものがこの力特性Ｎｎを測定するために用いられている。）
【００１３】  しかし、この従来技術の装置では一応目安としての力持性Ｎｎは得られるものの、ノズル１近傍で皮膚１５に穴を開けるジエット流５の実際の力特性Ｎｎよりも誤差が大きく、再現性等が問題となっていた。
【００１４】  すなわち離れた距離ＳＤを大きく設定すると、ジエット流５の飛翔距離が伸びる為に重力で下方に曲がってダイアフラム１６の検出面に到達する欠点があった。この方法では距離が伸びる為に、ジエット流５は拡散する傾向があり、更にその道中にある風や揺らぎのある空気などの影響を受けてロードセル１５の表面でのジエット流５の位置がバラツキ、測定した力特性Ｎｎの再現性や誤差の問題を大きくする欠点があった。
【００１５】  これらの欠点を無くすために図３に示すように、ノズル１近傍の至近距離ＳＬにロードセル１５を設定すると以下の危険があつて実用にならなかった。すなわちロードセル１５のダイアフラムは大きな面積で力を受けて測定する様に構成されていた。また特にジエット流５を測定する為には５Ｎ以下の鋭敏なロードセル１５が必要で、これらのダイアフラ厶１６は薄く作られていた。一方ジエット流５の直径は細い、例えば至近距離ＳＬ＝１０ｍｍの時の検出流の直径ＤＪは略φ０．２となる。従って微少断面積の為に、図２のダイアフラム動作の詳細図に示すように、ダイアフラム１６は微少範囲のみ高い圧力で部分的に押されて凹み、出力誤差を発生する危険が有った。
【００１６】  更にダイアフラムが薄いので強度的に弱く、繰り返し使用すると微少な凹みが出来誤差が増加し、最終的には貫通孔が出来て使用出来なくなる欠点が有った。従って至近距離ＳＬの信頼性のある測定は出来なかった。
【００１７】このように従来技術の延長上の測定装置は多くの欠点を有していたので、より構造簡単に、またノズル１の近傍の位置で正確な力特性Ｎｎを測定可能とし、再現性や誤差の無い、更に耐久性の得られる信頼性のある無針注射器の力測定装置が求められていた。
【課題を解決するための手段】
【００１８】  上記の目的を達成するために本発明の無針注射器用の力測定装置は、無針注射器のジェツト流（５）を検討した結果、添付図面、図４（本発明の第１の実施例の測定装置の説明断面図（分散部詳細図含む））と、図５（本発明の第１の実施例のＡ・Ｂホルダの説明斜視図）と、図６（本発明の第２の実施例の測定装置の説明断面図）と図７（本発明の測定装置で測定したジェット流の力特性評価図）に示すように構成して解決する。
【００１９】  重力の影響での曲がりを無くす為に、測定するジエット流５を垂直で下方向（Ｙ０−Ｙ１の測定軸）に射出するように構成する。
【００２０】  更に風などの影響を防ぐ為にノズル１の近傍の至近距離ＳＬで測定し、入射されるジェツト流５の周辺は可能な限り外界より遮断する。
【００２１】至近距離ＳＬでの微少な検出流直径ＤＪの高い圧力でダイアフラム１６が破壊されないように、ダイアフラム１６の中央に、防水性と剛性の高い材質で、ジェツト流の検出流直径ＤＪの１０倍以上の直径の平らな分散部上面２７を設けた円柱状の分散部２６を構成し、微少直径のジェツト流５の力をロードセル１５のダイアフラム１６に分散して与えるようする。
【００２２】すなわち直径が１０倍とすると断面積比より圧力は１／１００になるのでダイアフラム１６の破損や劣化を防ぎ、また繰り返し誤差など無くす事が出来る。また分散部２６の上面がほぼ平らな面としているので垂直に射出されるジェツト流５のわずかな芯ずれによる誤り検出も少なく出来る。
【００２３】更に分散部２６はステンレスのような防水性や剛性の高い材質で設けるので変形等による誤り検出も長期間少なく出来る。またセラミックコーティングなどやメッキで表面を更に硬質処理しても良い。更に分散部上面２７が水平な平ら面であるので測定器の校正時に、この面に分銅を乗せて校正出来るので、品質のトレーサビリティが容易に得られるメリットもある。
【００２４】分散部２６の中心にめがけて垂直にジエット流５を射出させ、常に所定の至近距離ＳＬで測定可能とするために、外周端部３の外周端部外径Ｆに嵌合する内径の凹部壁面のガイド２９と、ノズル１の先端位置と外周端部３の先端の位置との高さの差の高差ＳＣに応じた位置の底板２８とを有する外周ホルダ２２を設け、その外周ホルダ２２を分散部２６の上側の所定の至近距離ＳＬに構成する。
【００２５】この様に構成するので、外周ホルダ２２にシリンジ７の先端を嵌合挿入するだけでノズル１よりの所定の至近距離ＳＬより、ジェット流５を垂直に芯ずれなく射出する事が容易に出来る。従って同じ種類の多くの無針注射器でも、皮膚１３に注射する操作と同じように短時間に繰り返し誤差無く測定出来る。
【００２６】また測定中に誤って斜めにジェツト流５を射出したときにダイアフラム１６を破壊しないように、ジェツト流５を流入させる入水路２４を分散部２６の上側に設け、且つ前記入水路２４の出口側の内径ＤＰを分散部上面２７より小さな内径で構成する。
【００２７】すなわち、入水路２４の出口の内径ＤＰをノズル１の設定位置の芯ずれを見越した小さな値とする。（例えば分散部直径ＤＳをφ４のときは、出口の内径ＤＰをφ１．６とする。）よつて斜めに入射されたジェット流５は分散部２６の外側のダイアフラム１６には直接到達しない。よつて、誤った操作で斜めにジェット流５が射出されても、ロードセル１５の破壊や劣化を防止できる。
【００２８】このように本発明は構成するので、熟練者でなくとも、容易な操作で、繰り返し誤差無く、短時間に同じ種類の多くの無針注射器の測定評価をする事が出来る。
【００２９】  高差ＳＣあるいは外周端部外径Ｆの異なる種類のシリンジ７を測定したいときは、図５に示すように外周ホルダ２２を交換するだけで同様に測定出来る。
【実施例】
【００３０】本発明の具体的な内容について図４〜７を用い各実施例に基づいて説明する。【００３１】（第１の実施例）
始めに本発明の測定装置で用いるロードセル１５について図４の分散部の詳細図を用いて説明する。ダイアフラム１６の中央に、防水性と剛性の高い材質で、ジェツト流の検出流直径ＤＪの１０倍以上の直径で且つ水平な平面の分散部上面２７を設けた円柱状の分散部２６を構成し、微少直径のジェツト流５の力をロードセル１５のダイアフラム１６に分散して与えるようにする。【００３２】  ノズル１の内径をφ０．１８としたシリンジ７を所定の至近距離ＳＬの１０ｍｍで測定する具体的な構成と作用について図４を用いて第１実施例で説明する。この時のジェット流の検出流直径ＤＪはほぼφ０．２となるので、平面の分散部上面２７の直径ＤＳは芯ずれを考慮し余裕を持ってφ４とし、その分散部の高さＨＳは１．７ｍｍとし、ステンレスの円柱状の部材で分散部２６を設け、この分散部２６をダイアフラム１６の中央に設けるようにしてロードセル１５は構成する。【００３３】  この様に構成するので、図５の分散部詳細図のように検出流直径ＤＪがφ０．２のジェツト流の強い圧力でも分散部の直径ＤＳのφ４との断面積比（略２＊１０−３）に応じて分散されダイアフラム１６を広い範囲で軽く押すことになる。また分散部の上面２７が平面で有るので、ジェツト流のわずかな芯ずれ（±０．５）が有っても分散部の直径ＤＳがφ４であるので、その面積での分散により実験的には誤差は認められなかった。【００３４】  ロードセル１５の検出過度特性を悪化させないためには、この分散部２６は出来るだけ小型である事がのぞまれるが、前記の第１の実施例の分散部２６のサイズでは、無針注射器の力特性の測定用としては実用上問題がない大きさである。【００３５】またこの分散部２６の表面をセラミックコーティングやハードクロムメッキなどで表面を更に硬質処理しても良い。【００３６】  次にジェツト流５を所定の至近距離ＳＬから垂直に射出する為の手段について説明する。測定する無針注射器の外周端部外径Ｆに嵌合する内径の凹んだ壁面のガイド２９と、ノズル１の先端位置と外周端部３の先端の位置との高さの差の高差ＳＣに応じた位置の底板２８とを有する外周ホル２２を設け、外周ホルダ２２を分散部２６の上側の所定の至近距離ＳＬに構成する。【００３７】  外周端部３の外周端部外径Ｆがφ３０の径で、更にノズル１との高差ＳＣが２ｍｍに設けられたシリンジ７の第１の実施例で、具体的に外周ホルダ２２を説明する。【００３８】ここでは外周ホルダ２２は、内径がφ２０．２の壁面のガイド２９と、厚さがほぼ２ｍｍの底板２８とを設けた外周ホルダ２２を設ける。この外周ホルダ２２の底板２８の下面の位置が、分散部２６の上方の至近距離ＳＬの１０ｍｍの位置に構成する。【００３９】  従ってこの外周ホルダ２２に外周端部外径Ｆのφ２０のシリンジ７の先端を上方より嵌合設置するだけで、ノズル１は至近距離ＳＬの１０ｍｍの位置に設定出来、しかもジェツト流５を垂直に芯ずれ無く射出する事が容易に出来る。【００４０】このように皮膚１３に注射する時とほぼ同じように、外周ホルダ２２に当てるだけの操作で容易にシリンジ７を正しい位置と垂直に設定が可能で、測定誤り無く測定が容易に出来る。【００４１】更にまた測定中に誤って斜めにジェツト流５を���出したときにダイアフラム１６を破壊しないように、ジェツト流５を流入させる入水路２４を分散部２の上側に設け、且つその入水路２４の出口側の内径ＤＰを分散部上面２７より小さな内径で構成する。【００４２】第１実施例ではノズル１の設定位置の芯ずれを考慮して、分散部直径ＤＳをφ４とし、出口の内径ＤＰをφ１．６として構成する。【００４３】  この入水路２４の出口はノズル１の位置より出来るだけ遠い位置とし、分散部上面２７の近傍の位置とする。このようにする事で誤った斜め射出のジエット流５を防ぐ効果が高くなる。ここでは入水路２４の長さは出来るだけ長く選んで７ｍｍの長さとしている。よってジェット流５が損失無く通り抜けられる傾斜角は略１０°以下であり、φ４の分散部６の外側の薄いダイアフラム１６には傾斜したジェツト流５は直接到達させる事は無い。【００４４】ロードセル１５と外周ホル２２と入水路２４について説明したが、それらの要素が組み合わされた測定器の全体の構成について次に第１実施例で具体的に補足説明する。【００４５】  測定器の基盤となる測定ベース２１は、ステンレス等の剛性と防水性の高い材質で設け、その測定ベース２１の中央に分散部２６付きのロードセル１５を上方に向けて設け、更に排水路２５をロードセル１５の下方周辺に複数設けて水はけを良くするように構成する。【００４６】この測定ベース２１の上方に、ステンレス等の剛性と防水性の高い材質で基準台２３を設ける。この基準台２３の上面の位置は、分散部上面２７より所定の至近距離ＳＬになるように設ける。【００４７】前述の入水路２４は、ここでは、この基準台２３の中央に垂直に設ける。このように構成されているので、基準台２３の中央にシリンジ７のノズル１を当接すると、この入水路２４を通して至近距離ＳＬにあるロードセル１５でジェット流の力を検出できる。【００４８】  また次に外周ホルダ２２は基準台２３の上面に印籠３１で案内されて芯ずれ無く設置される。従ってこの外周ホルダ２２のガイド２９と底板２８にシリンジ７の外周端部３を嵌合設置するだけで、シリンジ７が垂直に保持されてノズル１より下方垂直にジェット流５を所定の至近距離ＳＬ（ここでは１０ｍｍ）より射出する事が出来るようになる。（図５のマーカ３０は外周ホルダ無しでシリンジ７を臨時的に設置測定するときの参考用のリングマーカである。）【００４９】  次にロードセル１５の出力は、検出増幅器１９を介してデータ採取表示装置２０にて採取されて力特性Ｎｎとして表示され、無針注射器のジエット流の評価に供される。【００５０】  このように第１実施例の測定装置は、皮膚１３に注射する操作と同様な操作、すなわち外周ホルダー２２にシリンジ７を押し当てジェツト流を射出するだけの簡単な操作により、無針注射器のジエット流の評価ＤＡＴＡを容易に得ることが出来る。また繰り返し実験などでもロードセル１５の劣化も無く、更に誤った操作でジェツト流が斜めに射出されても故障発生は防げ、よって信頼性の高いジェツト流の力測定器を提供出来る。【００５１】  Ａ社製・Ｂ社製など異なる種類の無針注射器を評価をしたい場合がある。この場合はシリンジ７の先端の形状が異なった複数のシリンジ７を評価する事になるので高差��Ｃや外周端部外径Ｆの値がそれぞれ変わってくる。従ってこの場合は、図５に示す様にＡホルダ２２ＡとＢホルダ２２Ｂの様に、高差ＳＣや外周端部外径Ｆの異なった２種類の外周ホルダ２２を設け、それらを付け替えるだけで、前述の様な簡単な操作で、互いの特性を対比出来るＤＡＴＡを簡単に得られ測定評価出来る。【００５２】  趣旨を逸脱しない範囲で種々変更して本発明は応用する事が出来る。すなわち図６の第２実施例は、前述装置を１部変更して、生産ライン等での品質検査用として、特定のシリンジ７のジェット流の力測定装置とした応用した例を示している。説明の重複を避けて以下簡単に説明する。【００５３】  測定ベース２１の上に外周ホルダ２２を直接取り付け、その外周ホルダ２２に入水路２４を構成する。ノズル１は外周ホルダ２２の上面に直接触れる事がなく、シリンジ７は外周端部３で所定の至近距離ＳＬの位置に垂直に保持される。この場合の測定操作は、第１実施例同様に簡単な操作で測定が出来る。【００５４】  図７は本発明の測定装置で製品Ａと製品Ｂを同一量の水を射出してジェツト流の力特性Ｎｎを測定した時の評価図の例を示す。縦軸の単位はジェツト流の力をＮで示し、横軸は射出した時間をＳＥＣで表している。製品Ａは前半で皮膚１３に孔を開けるに十分な急激な立ち上がりの強い力を示し、また後半では薬液６を痛み少なく送り込むに十分な弱い力と時間で作動している事が分かる。一方製品Ｂでは全体に力が低く同じ量の水を射出するのに時間が掛かっている事がわかり、これらからＢ製品は異常な原因を内在している事が評価できる。【００５５】更に、射出する水の所定量とノズル１の内径（断面積）はあらかじめ判っているので、この図より射出される時間を読み取りノズル１の近傍のジェット流の速度の概要も推定可能となる。【００５６】このように構成し作用するので、第１あるいは第２の実施例で説明したように、多くの課題を解決し、本発明は、簡単な構造で、操作容易な、信頼性に優れた無針注射器用のジェツト流の力測定装置を提供できる。
【発明の効果】
【００５７】  効果については前述で詳細に述べたので、ここでは簡単に主な効果を列挙して説明する。
【００５８】  請求項１の記載の様に、無針注射器のジェツト流の微少な検出流の直径の１０倍の径の分散部をロードセルに構成するので、薄いダイアフラムを用いた敏感なロードセルでも破損や劣化を防止でき、長期の繰り返し測定でも信頼性の高いジェツト流の力特性の測定が出来る。
【００５９】  更にロードセルの破損や劣化の心配が無いのでジェツト流を至近距離で測定出来るので、ノズル１近傍の挙動がつかめる事と合わせ、風など外乱の影響なく、精度の良いジェツト流の力特性を知ることが出来る。
【００６０】また分散上面２７が水平で平らな面で有るので、この面に分銅を乗せて（重力加速度で演算する事で力（Ｎ）が判る）測定器の校正が出来、測定器で重要なトレイサビリティを容易に得ることが出来る。
【００６１】請求項２の記載のように外周ホルダ２２を測定器に構成するので、皮下への注射と同様な容易な操作で、常にジェツト流を所定の至近距離より垂直に射出する事が出来、信頼性の高いジェツト流の力特性の測定が出来る
【００６２】請求項３のように入水路を分散部の上側に設け、且つ入水路の出口の内径を分散部上面より小さな内径で構成したので、誤って斜めにジェット流が射出されても、ロードセルが破壊される事をが無い。よって長期間安定に動作出来る。
【００６３】  更に本発明の測定器は操作が容易で有るので、短時間に多くの無針注射器を誤差無く測定をする事が出来る。
【００６４】また図７に示すように力特性図では時間が読めるのでジェット流の速度の概要を推定する事も出来る。
【００６５】  このように本発明は、無針注射器のジェツト流の持つ独特な多くの課題を解決し、またジェツト流の力特性の測定を、皮下注射をすると同様な簡単な操作で、誰にでも容易に測定可能とし、長期にわたり安定した動作を保証できる信頼性の高い測定装置を簡単な構造で提供出来る。
【図面の簡単な説明】
【図１】従来の無針注射器の説明断面図である。
【図２】従来の測定装置で離れた距離での測定説明断面図である。
【図３】従来の測定装置で至近距離での測定説明断面図である。（ダイアフラム動作の詳細図を含む）
【図４】本発明の第１の実施例の測定装置の説明断面図である。（分散部詳細図を含む）
【図５】本発明の第１の実施例のＡ・Ｂホルダの説明斜視図である。
【図６】本発明の第２の実施例の測定装置の説明断面図である。
【図７】本発明の測定装置で測定したジェット流の力特性評価図である。
【符号の説明】
１      ノズル
２      ノズル台
３      外周端部
４      ピストン
５      ジエット流
６      薬液
７      シリンジ
８      装置部
１０    駆動装置
１１    ドライブシャフト
１２    スプリング
１３    皮膚
１４    ロック機構
１５    ロードセル
１６    ダイアフラム
１７    水平台
１９    検出増幅器
２０    データ採取表示装置
２１    測定ベース
２２    外周ホルダ
２２Ａ  Ａホルダ
２２Ｂ  Ｂホルダ
２３    基準台
２４    入水路
２５    排水路
２６    分散部
２７    分散部上面
２８    底板
２９    ガイド
３０    マーカー
３１    印籠
Ｆ      外周端部外径
Ｎｎ    力特性
ＤＪ    検出流の直径（ＳＬの位置の径）
ＤＰ    出口の内径
ＨＳ    分散部の高さ
ＤＳ    分散部の直径
ＳＣ    高差
ＳＤ    離れた距離
ＳＬ    至近距離
Ｘ０、Ｘ１    水平の測定軸
Ｙ０、Ｙ１    垂直の測定軸
【図１】
2005021640.tif 000003
【図２】
2005021640.tif 000004
【図３】
2005021640.tif 000005
【図４】
2005021640.tif 000006
【図５】
2005021640.tif 000007
【図６】
2005021640.tif 000008
【図７】
2005021640.tif 000009
【手続補正書】
【提出日】平成15年10月1日(2003.10.1)
【手続補正１】
【補正対象書類名】特許請求の範囲
【補正対象項目名】全文
【補正方法】変更
【補正の内容】
【特許請求の範囲】
【請求項１】
無針注射器の微少直径のジェット流（５）の力を測定する測定装置において、垂直に射出したジエット流（５）を検出するロードセル（１５）のダイアフラム（１６）の中央に、硬質表面処理した防水性と剛性の高い部材で分散部（２６）を設け、且つその分散部（２６）の上面の分散部上面（２７）をジェツト流（５）の検出流の直径（ＤＪ）の１０倍以上の直径で且つ水平な平面として構成するとともに、前記ジェツト流（５）を流入させる入水路（２４）を分散部（２６）の上側に設け、且つ入水路（２４）の出口の内径（ＤＰ）を分散部上面の直径（ＤＳ）より小さな内径で構成し、ノズル（１）よりの至近距離（ＳＬ）でジエット流（５）の力特性（Ｎｎ）を測定する事を特徴とするジエット流の力測定装置。
【請求項２】
測定する無針注射器の外周端部外径（Ｆ）に嵌合する内径の凹部を有するガイド（２９）と、ノズル（１）の先端位置と外周端部（３）の先端の位置との高さの差の高差（ＳＣ）に応じた厚みの底板（２８）とを有する外周ホルダ（２２）を設け、外周ホルダ（２２）の下面を分散部（２６）の上方の至近距離（ＳＬ）に構成した事を特徴とする請求項１記載のジエット流の力測定装置。
【手続補正２】
【補正対象書類名】明細書
【補正対象項目名】全文
【補正方法】変更
【補正の内容】
【発明の詳細な説明】
【技術分野】
【０００１】  本発明は、医療用に用いられる無針注射器の測定器に関し、特にノズルより射出するジェツト流の力の特性を測定し無針注射器を評価する測定装置に関する。
【背景技術】
【０００２】  各図面の符号に付いては、作用等が同じ物は説明の重複を避ける為に同じ付番として表現する。また測定器の垂直方向の中心軸となる垂直測定軸Ｙ０−Ｙ１より要素部品及び被測定物等が偏った位置にあるときは、芯ずれしていると略して表現する。また注射開始時と注射修了までに射出されるジェツト流５の時間（ＳＥＣ）に対する力（Ｎ・ニートン）の特性を力特性Ｎｎと略して表現する。また図１は従来の無針注射器の説明断面図で、図２は従来の測定装置で離れた距離ＳＤでの測定説明断面図であり、また図３は従来の測定装置で至近距離ＳＬでの測定説明断面図である。【０００３】  始めに無針注射器について図１を用いて簡単に説明する。使い捨てのシリンジ７を駆動装置１０に接続して注射するものが知られている、このシリンジ７は薬液６とピストン４とを内装し、その先端には微少な直径のノズル１と後方には駆動装置１０に装着する装置部８（図ではネジの例を示しているがフランジ状の場合もある）とを設けている。【０００４】  また駆動装置１０は高圧で駆動するスプリング１２（図では機械式の圧縮バネの例を示しているが、気体の圧縮バネも知られている）とドライブシャフト１１を設け、そのドライブシャフト１１の先端は前記ピストン４の後方で一体に接続しピストン４を駆動するように構成している。【０００５】  注射の時は、皮膚１３にシリンジ７の先端を押しつけて注射するが、薬液６はノズル１を介して皮膚１３の内部にジエット流５として注入されるように構成されている。前記のジェット流５は皮膚１３に対して垂直に注入しないと、皮膚１３の表面に開ける注入穴が楕円になり血液飛散や薬液流出など注射効果を下げる事になる。その為にシリンジ７を皮膚１３に対し垂直に保持する様にノズル１の先端近傍の形状は工夫されている。【０００６】  すなわち図１に示すように、ノズル１を中心軸とした台形状あるいは球面状のノズル台２とシリンジ７の外周先端には外周端部３が設けられている。ノズル台２の高さは外周端部３の高さよりも高差ＳＣ（たとえぱ２ｍｍ）だけ高く構成されている。【０００７】  図１の他の符号の補足をする。ロック機構１４は指でスライドする事で圧縮されたスプリング１２の駆動力を拘止や解放する機構である。外周端部外径Ｆはフランジ形状の外周端部３の外径である。また外周端部３の形状について更に説明する。外周端部外径Ｆはシリンジ７の外径より図１のように大きく作られたものや、図２のようなフランジ状でなくシリンジ７の先端外径と同じ径で外周端部３を設けたものもあり、その場合はシリンジ７の先端の外径と同じ径が外周端部外径Ｆとなる。【０００８】  このように構成されているので、外周端部３を押圧する事でシリンジ７は皮膚１３に垂直に保持されるとともに、皮膚１３は緊張した状態になり、その皮膚１３に更に高差ＳＣだけ高いノズル台２が更に押しっけられ、ノズル１は皮膚１３に密着する。このように構成され作用するのでノズル１は皮膚１３に垂直に保持され密着して位置し、皮膚１３に開けられる穴はノズル１とほぼ同じ直径の円形になり、ジェット流５は液漏れなく皮膚１３に垂直に注入する事が出来る。【０００９】  次に、ノズル１から射出されるジエット流５の力につい��説明する。初期においては皮膚１３に穴を開ける為に急激に高い力を与えるように設定される。後半では続いて、開けられた穴を介して薬液６を皮膚１３の組織に注入作用するようにジェット流５の力は初期力より低い力に設定されるように配慮される。【００１０】  これらのジエット流５の力は皮膚１３への穴開けによる損傷を少なくし、また痛みを和らげる観点から薬液６を拡散注射（皮下組織破壊が少い）をするように、これらジエット流５の初期と後半の力を、それぞれに適切な値に選定される。即ちジエット流５の力特性Ｎｎが慎重に選ばれる。
【発明の開示】
【発明が解決しようとする課題】
【００１１】  ノズル１のアスペクト比（穴の直径と長さの比）や、シリンジ７のノズル１の後方内部に徐々に広がる開口部の形状や、ピストン４の先端の流線型の形状や、スプリング１２の強さなど多くの部品設計により、ジエヅト流５の力特性Ｎｎの値は変化するので、開発時には、慎重にそれらの設計がされる。その結果の評価は実際に皮膚１３に注射して感覚的に痛みを強く感じないかなど、カットアンドトライの実験を繰り返し、その結果で選ばれ調整されてきた。このために開発時間や経費が嵩む欠点が有った。【００１２】  よって、各部品の開発時に各種の調整の結果を容易に評価でき、更に無針注射器の製品の品質を管理に利用できるような、ジェット流５の力特性Ｎｎが目に見える形のＤＡＴＡとして得られる信頼性のある測定装置の出現が望まれていた。【００１３】  次にそれらの目的の為に、検討された従来技術の測定装置について図２を用いて説明する。駆動装置１０に付いたシリンジ７（通常は薬液６の代わりに水を内蔵して測定する）を水平台１７に設置して、ノズル１の先端位置より離れた距離ＳＤの位置に検出面がジェット流５に対して垂直になるようロードセル１５を設け、ノズル１よりのジエット流５の力を測定するように、従来技術の測定装置は構成し測定していた。更にロードセル１５の検出出力は検出増幅器１９を介してデータ採取表示装置２０でデータ収集され時間対力、即ち力特性Ｎｎとして表示していた。また前記のロードセル１５は過度特性の良い歪みゲージ式の防水型ダイアフラムのものがこの力特性Ｎｎを測定するために用いられている。【００１４】  しかし、この従来技術の測定装置では一応目安としての力持性Ｎｎは得られるものの、ノズル１近傍で皮膚１３に穴を開けるジエット流５の実際の力特性Ｎｎよりも誤差が大きく再現性等が問題となっていた。【００１５】  すなわち離れた距離ＳＤを大きく設定すると、ジエット流５の飛翔距離が伸びる為にジエット流５は拡散する傾向があり、更にその道中にある風や揺らぎのある空気などの影響を受けてロードセル１５の表面でのジエット流５の位置がばらつき、測定した力特性Ｎｎは図２のように再現性の問題や誤差の問題を大きくする欠点があった。【００１６】  これらの欠点を無くすために図３に示すように、ノズル１近傍の至近距離ＳＬにロードセル１５を設定すると以下の危険があって実用にならなかった。すなわちロードセル１５のダイアフラム１６は大きな面積で力を受けて検出する様に構成されていた。また特にジエット流５を測定する為には５Ｎ（ニュートン）以下の鋭敏なロードセル１５が必要で、これらのダイアフラム１６は薄く作られている。【００１７】  一方ジエット流５の直径は細い、例えぱ至近距離ＳＬ＝１０ｍｍの時の検出流の直径ＤＪは略微少なφ０．２となる。従って微少断面積の為に、ダイアフラム１６は微少範囲のみ高い圧力で部分的に押されて凹み、出力誤差を発生するばかりでなく、繰り返し使用すると微少な貫通孔が出来て使用出来なくなる欠点が有った。従って至近距離ＳＬの信頼性のある測定は出来なかった。【００１８】  このように従来技術の測定装置は多くの欠点を有していたので、より操作性の良く、ノズル１の近傍の至近距離ＳＬで正確な力特性Ｎｎを測定可能とする信頼性のある無針注射器の力測定装置が求められていた。
【課題を解決する為の手段】
【００１９】  本発明の無針注射器用の力測定装置は、無針注射器のジェツト流５を検討した結果、添付図面、図４（本発明の実施例１の測定装置の説明断面図（分散部の詳細図含む）と、図５の（本発明の第２の実施例のＡ・Ｂホルダの説明斜視図）と、図６（本発明の第３の実施例の測定装置の説明断面図）に示すように構成して解決する。
【００２０】  無針注射器の微少直径のジェット流５の力を測定する測定装置は、垂直に射出したジエット流５を検出するロードセル１５のダイアフラム１６の中央に、硬質表面処理した防水性と剛性の高い部材で分散部２６を設け、且つその分散部２６の上面の分散部上面２７をジェツト流５の検出流の直径ＤＪの１０倍以上の直径で且つ水平な平面として構成するとともに、前記ジェツト流５を流入させる入水路２４を前記分散部２６の上側に設け、且つ前記入水路２４の出口の内径ＤＰを前記分散部上面の直径ＤＳより小さな内径で構成して解決する。（図４参照）
【００２１】  このように構成されるので、検出流の直径ＤＪの１０倍以上の直径である分散部上面の直径ＤＳによる断面積比で１／１００以下の低い圧力でダイアフラム１６が駆動されるので、破損や劣化を防ぎ、また繰り返し誤差など無くす事が出来る。また分散部２６の上面がほぼ平らな面としているので、垂直に射出されるジェツト流５のわずかな芯ずれによる誤り検出も少なく出来る。
【００２２】  更に分散部２６は、硬質クロムメッキやセラミヅクコーティングなどで硬質表面処理したステンレスや焼き入れ鋼など防水性と剛性の高い部材で構成しているので、ジェツト流５による変形での誤り検出も長期間少なく出来る。
【００２３】  また更に分散部上面２７近傍にある入水路２４の出口の内径ＤＰを分散部上面の直径ＤＳより小さく構成しているので、斜めに入射されたジェット流５は分散部２６の外側のダイアフラ厶１６には直接到達しない。よって、誤った操作で斜めにジェット流５が射出されても、ロードセル１５の破壊や劣化を防止できる。
【００２４】  次に測定する無針注射器の外周端部外径Ｆに嵌合する内径の凹部を有するガイド２９と、ノズル１の先端位置と外周端部３の先端の位置との高さの差の高差ＳＣに応じた位置の底板２８とを有する外周ホルダ２２を設け、前記外周ホルダ２２の下面を前記分散部２６の上方の至近距離ＳＬに構成する。
【００２５】  このように構成するので外周ホノルダ２２にシリンジ７の先端を嵌合挿入するだけでノズル１よりの測定したい至近距離ＳＬより、ジェット流５を垂直に芯ずれなく射出する事が容易に出来る。従って同じ種類の多くの無針注射器でも、皮膚１３に注射する操作と同じように短時間に繰り返し誤差無く容易な操作で測定出来る。
【発明の効果】
【００２６】  本発明は分散部２６により薄いダイアフラム１６を用いた敏感なロードセル１５でも破損や劣化が防止でき、長期の繰り返し測定でも信頼性の高いジェツト流５の力特性Ｎｎの測定が出来る。
【００２７】  更にロードセル１５の破損や劣化の心配が無いので、ジェツト流５を至近距離ＳＬで測定出来るので、ノズル１近傍の挙動がつかめる事と合わせ、風など外乱の影響も少なくなりジェット流５のばらつきも少なく出来、精度の良い力特性Ｎｎを知ることが出来る。
【００２８】  また分散上面２７が水平で平らな面で有るので、この面に分銅を正しく乗せる事が出来、測定器の力（Ｎニュートン）の校正が容易に出来る。よって測定器で重要なトレイサビリティを容易に得ることが出来る。（分銅の質量と重力加速度の演算で力は求まる。）また水平で平らな面で有るのでノズル１の芯ずれによる誤差も少なく出来る。
【００２９】  また入水路２４の出口の内径ＤＰを分散部上面の直径ＤＳより小さな内径で構成したので、誤って斜めにジェット流５が射出されても、ロードセル１５が破壊される事をが無い。よって長期間安定に動作出来る。
【００３０】  皮下注射と同様に、外周ホルダ２２にシリンジ７を挿入するだけの容易な操作だけで、常にジェツト流５を垂直にしかも、至近距離ＳＬより射出する事が出来、熟練しなくても繰り返し精度の良いジェツト流５の力特性Ｎｎの測定が出来る。
【００３１】  更に本発明の測定器は前記のように操作が容易で有るので、短時間に多くの無針注射器を誤差無く測定する事が出来る。更に図５の説明で後述するように外周ホルダ２２を交換するだけで異なる種類の無針注射器を簡単に比較評価出来る。
【００３２】  また測定する時は射出水量とノズル１の直径があらかじめ判っているので、力特性ＮｎのＤＡＴＡより開始時間と修了時間より所要時間が読めるので、ノズル１近傍のジェット流５の速度の概略値を推定する事も出来る。（ノズル１の直径の断面積のノズル孔を通過する射出水量のジェット流５の長さと所要時間より速度概算を演算する）
【００３３】  このように本発明は、ロードセル１５が破壊される事をが無いので、無針注射器のジェツト流５を、繰り返し、長期にわたり安定して測定出来、また外周ホルダ２２により皮下注射をすると同様な簡単な操作で、誰にでも容易に測定可能とし、信頼性の高い測定装置を簡単な構造で提供出来る。
【発明を実施するための最良の形態】
【００３４】  本発明の最良の形態については図４〜６を用い各実施例で具体的に説明する。
【実施例１】
【００３５】  ロードセル１５は図４の分散部の詳細図に示すようにジェツト流５の検出流直径ＤＪの１０倍以上の直径で且つ水平な平面の分散部上面２７を設けた円柱状の分散部２６をダイアフラム１６の中央に構成し、微少直径のジェツト流５の力をロードセル１５のダイアフラ厶１６に分散して与えるようにする。【００３６】  即ちノズル１の内径がφ０．１８のシリンジ７を所望の至近距離ＳＬ＝１０ｍｍで測定する具体的な測定装置の場合は、ジェット流５の検出流の直径ＤＪはほぼφ０．２となるので、分散部上面の直径ＤＳは芯ずれを考慮し余裕を持ってφ４とする。またその分散部の高さＨＳは１．８ｍｍとし、硬質クロムメッキによる硬質表面処理された剛性の高いステンレスの円柱状の部材で上面が水平で平らな面の分散部２６を設け、この分散部２６をダイアフラム１６の中央に設けるようにしてロードセル１５は構成する。【００３７】  この様に構成するので、図４の分散部の詳細図のようにφ０．２の検出流の直径ＤＪとφ４の分散部上面の直径ＤＳとの断面積比（１／４００）に応じて力は分散されダイアフラム１６を広い範囲で軽く押すことになる。また、ジェツト流５のわずかな芯ずれ（例えば±０．５）が有っても分散部上面２７が水平な平面で有り且つ分散部上面の直径ＤＳがφ４と広いので、誤差は縮小される。【００３８】  ロードセル１５の検出過度特性を悪化させないためには、この分散部２６は出来るだけ小型である事がのぞまれるが、前記の分散部２６のサイズでは、無針注射器の力特性Ｎｎの測定用としては、実験的には実用上問題がない大きさである。【００３９】  またこの分散部２６は、硬質クロムメッキとしたが、セラミックコーティングで表面処理をしても良い。また硬度の高い部材として焼き入れ鋼など用いても良い。【００４０】  ジェツト流５を流入させる入水路２４は分散部２６の上側の設け、且つその入水路２４の出口側の内径ＤＰを分散部上面の直径ＤＳより小さな内径で構成するが、分散部上面の直径ＤＳはφ４で有るので、芯ずれを考慮して入水路２４の出口の内径ＤＰをφ１．６として、分散部上面２７の近傍に設ける。ここでは分散部上面２７より上方に３ｍｍ離れた高さに入水路２４の出口を設ける。【００４１】  従って測定中に誤って斜めにジェツト流５を射出しても、分散部２６の外側のダイアフラム１６に直接達しないのでロードセル１５の劣化や破壊を招くことが無い。【００４２】  次にジェツト流５を至近距離ＳＬから垂直に射出する為の手段について説明する。測定する無針注射器の外周端部外径Ｆに猷合する内径の凹んだ壁面のガイド２９と、ノズル１の先端位置と外周端部３の先端の位置との高さの差の高差ＳＣに応じた位置の底板２８とを有する外周ホルダ２２を設け、外周ホルダ２２を分散部２６の上側の至近距離ＳＬに構成する。【００４３】  外周端部３の外周端部外径Ｆがφ２０の径で、更にノズル１との高差ＳＣが２ｍｍに設けられたシリンジ７の場合の具体的な外周ホルダ２２を説明する。【００４４】  外周ホルダ２２は、内径がφ２０．０５の壁面のガイド２９と、厚さが２ｍｍの底板２８とを設けた外周ホルダ２２を設ける。この外周ホルダ２２の底板２８の下面の位置が、分散部２６よりの至近距離ＳＬの１０ｍｍになるように構成する。【００４５】  従ってこの外周ホルダ２２にシリンジ７の先端を上方より嵌合させ押圧するだけで、ノズル１は至近距離ＳＬ＝１０ｍｍの位置に設定出来、しかもジェツト流５を垂直に芯ずれ無く射出する事が容易に出来る。【００４６】  入水路２４の孔の入り口には０．５以上のＲあるいはＣ面取りを設け、シリンジ７を押圧したときにノズル１を傷つけないように配慮する。【００４７】  このように構成するので皮膚１３に注射する時とほぼ同じように、外周ホルダ２２に挿入押圧するだけの簡単な操作で、容易にシリンジ７を正しい至近距離ＳＬの位置と、垂直の設定が可能で、芯ずれ無く垂直にジェット流５を射出出来、容易に測定が出来る。【００４８】  ロードセル１５と外周ホルダ２２と入水路２４について説明したが、それ以外の要素が組み合わされた測定器の全体の構成について、次に補足説明する。【００４９】  測定器の基盤となる測定ベース２１は、ステンレス等の剛性と防水性の高い材質で設け、その測定ベース２１の中央に分散部２６付きのロードセル１５を上方に向けて設け、更に排水路２５をロードセル１５の下方周辺に複数設けて水はけを良くするように構成する【００５０】  この測定ベース２１の上方に、ステンレス等の剛性と防水性の高い材質で基準台２３を設ける。この基準台２３の中央付近の上面の位置は、分散部上面２７より至近距離ＳＬになるように設ける。【００５１】  外周ホノルダ２２は基準台２３の上面に外周で位置だしできるように高い精度で作られた壁面の位置だし壁面３１で案内されて芯ずれ無く設置される。従ってこの外周ホルダ２２のガイド２９と底板２８にシリンジ７の外周端部３を嵌合設置するだけで、シリンジ７が垂直に保持されてノズル１より下方垂直にジェット流５を至近距離ＳＬ＝１０ｍｍより芯ずれ無く射出する事が出来るようになる。【００５２】  次にロードセル１５の出力は、検出増幅器１９を介してデータ採取表示装置２０にて採取されて力特性Ｎｎとして表示され、無針注射器のジエット流の評価に供される。このデータ採取表示装置２０はデータロガとパソコンあるいはメモリー付きのデジタルオッシロなどで１秒以下のシングルスイープで検出増幅器１９の出力を力特性Ｎｎのグラフとして表示する。（４図参照）
【実施例２】
【００５３】  Ａ社製・Ｂ社製など異なる種類の無針注射器を評価をしたい場合がある。この場合はシリンジ７の先端の形状が異なった複数のシリンジ７を評価する事になる。例えばＡ社製のものは高差ＳＣ＝２ｍｍ・外周端部外径Ｆ＝φ２０で、Ｂ社製のものは高差ＳＣ＝１．７ｍｍ・外周端部外径Ｆ＝φ１６のように高差ＳＣや外周端部外径Ｆの値がそれぞれ変わってくる。従ってこの場合は、図５に示す様にＡホルダ２２ＡとＢホルダ２２Ｂの様に、高差ＳＣや外周端部外径Ｆの異なった２種類の外周ホルダ２２を設ける。【００５４】  前記の２種類の外周ホルダ２２を付け替えて、同一量の水を射出してジェツト流５の力を測定するだけで、前述の様な簡単な操作で、Ａ社製の力特性ＮｎＡとＢ社製の力特性ＮｎＢが得られ、互いの特性を重ね書きする事で容易にＤＡＴＡを対比できる。
【実施例３】
【００５５】  本発明は趣旨を逸脱しない範囲で種々変更・応用する事が出来る。すなわち図６の実施例３は、前述の測定装置を１部変更して、自社の生産ライン等での品質検査用として、特定のシリンジ７のジェット流の力測定装置として応用した例を示している。説明の重複を避けて以下簡単に説明する。【００５６】  この場合は異なるシリンジ７を比較評価する事が無いので自社のシリンジ７に合わせた外周ホルダ２２が１ケ有ればよい。従って外周ホルダ２２は基準台２３と一体に構成し（図では判りやすいように点線で区切って示す。）、その外周ホルダ２２の部分に入水路２４を構成する。またこの場合のシリンジ７の外周端部３で押圧される外周ボルダー２２の面（外周ホルダ２２の底板２８の上面に相当する）位置は分散部上面２７より高差ＳＣと所定の至近距離ＳＬを加算した距離に設ける。【００５７】  このように構成するで、ジェット流５を至近距離ＳＬより芯ずれ無く垂直に射出する事が出来、多数の無針注射器を簡単な操作で安定に測定評価管理出来る。
【産業上の利用可能性】
【００５８】  上述したように本発明は、皮下注射をすると同様な簡単な操作で、誰にでも容易にジェツト流の力特性Ｎｎを測定可能とし、また長期間安定した信頼性の高い測定装置を簡単な構造で提供出来る。
【図面の簡単な説明】
【００５９】
【図１】従来の無針注射器の説明断面図である。
【図２】従来の測定装置で離れた距離での測定説明断面図である。
【図３】従来の測定装置で至近距離での測定説明断面図である。
【図４】本発明の実施例１の測定装置の説明断面図である。（分散部の詳細図を含む）
【図５】本発明の実施例２のＡ・Ｂホルダの説明斜視図である。
【図６】本発明の実施例３の測定装置の説明断面図である。
【符号の説明】
【００６０】１          ノズル
２          ノズル台
３          外周端部
４          ピストン
５          ジェツト流
６          薬液
７          シリンジ
８          装置部
１０        駆動装買
１１        ドライブシャフト
１２        スプリング
１３        皮膚
１４        ロック機構
１５        ロードセル
１６        ダイアフラム
１７        水平台
１９        検出増幅器
２０        データ採取表示装置
２１        測定ベース
２２        外周ホルダ
２２Ａ      Ａホルダ
２２Ｂ      Ｂホルダ
２３        基準台
２４        入水路
２５        排水路
２６        分散部
２７        分散部上面
２８        底板
２９        ガイド
３１        位置だし壁面
Ｆ          外周端部外径
Ｎｎ        力特性
ＮｎＡ      Ａ社の力特性
ＮｎＢ      Ｂ社の力特性
ＤＪ        検出流の直径（至近距離ＳＬでのジェット流の直径）
ＤＰ        出口の内径
ＨＳ        分散部の高さ
ＤＳ        分散部上面の直径
ＳＣ        高差
ＳＤ        離れた距離
ＳＬ        至近距離
Ｘ０，Ｘ１  水平測定軸
Ｙ０，Ｙ１  垂直測定軸
【手続補正３】
【補正対象書類名】図面
【補正対象項目名】全図
【補正方法】変更
【補正の内容】
【図１】
2005021640.tif 000010
【図２】
2005021640.tif 000011
【図３】
2005021640.tif 000012
【図４】
2005021640.tif 000013
【図５】
2005021640.tif 000014
【図６】
2005021640.tif 000015